(57)【要約】【課題】ベビーキャリーとしての機能を有すると同時に、携行必需品等をコンパクトに効率よく収容できる軽くて薄い持ち運びに便利な多機能キャリーバッグを実現する。【解決手段】シート状の底面部１、第１〜第４の側壁部２〜５は布製素材を基布として形成されると共に、底面部１及び前記第１〜第４の側壁部２〜５で空間領域５０が形成可能とされている。第１及び第２の側壁部２、３には、開閉自在な収容ポケット１２、１３が設けられ、第１の側壁部２の外表面には面ファスナー３１が設けられると共に、第２の側壁部３には面ファスナー３１と係着可能に面ファスナー３４が設けられている。底面部１及び第１〜第４の側壁部２〜５は、折畳み可能に構成されると共に、折畳み状態では、収容ポケット１２、１３がいずれも外表面に位置するように配され、面ファスナー３１と面ファスナー３４とが係着される。【選択図】図１
2017136197.tif 000002
【特許請求の範囲】
【請求項１】
シート状の底面部と、互いに対向状に配された第１及び第２の側壁部と、該第１及び第２の側壁部のそれぞれの直交方向に互いに対向状に配された第３及び第４の側壁部とを有し、前記底面部及び前記第１〜第４の側壁部は布製素材を基布として形成されると共に、前記底面部及び前記第１〜第４の側壁部で空間領域が形成可能とされ、
前記第１及び第２の側壁部のそれぞれには、開閉自在な複数の収容ポケットが設けられ、前記第１の側壁部の外表面及び内表面のうちのいずれか一方には第１の係合手段が設けられると共に、前記第２の側壁部には前記第１の係合手段と係着可能に第２の係合手段が設けられ、
前記底面部及び前記第１〜第４の側壁部は、折畳み可能に構成されると共に、
折畳み状態では、前記複数の収容ポケットがいずれも外表面に位置するように配され、前記第１の係合手段と前記第２の係合手段とが係着されることを特徴とする多機能キャリーバッグ。
【請求項２】
前記底面部は、内表面が防水性を有していることを特徴とする請求項１記載の多機能キャリーバッグ。
【請求項３】
前記底面部及び前記第１〜第４の側壁部は、外表面が撥水性を有していることを特徴とする請求項１又は請求項２記載の多機能キャリーバッグ。
【請求項４】
前記第１及び第２の側壁部と、前記第３及び第４の側壁部のうちの少なくとも一方の側壁部との間に形成される両隅部には、開閉自在な係着部材が設けられていることを特徴とする請求項１乃至請求項３のいずれかに記載の多機能キャリーバッグ。
【請求項５】
前記複数の収容ポケットのうちの少なくとも一つの収容ポケットは、内部に補助ポケットを有し、該収容ポケット及び前記補助ポケットのそれぞれの内表面には、保温断熱材が貼着されていることを特徴とする請求項１乃至請求項４のいずれかに記載の多機能キャリーバッグ。
【請求項６】
前記複数の収容ポケットのうちの少なくとも一つの収容ポケットは、一端が開放状とされた外ポケットが外表面に設けられていることを特徴とする請求項１乃至請求項５のいずれかに記載の多機能キャリーバッグ。
【請求項７】
前記第１及び前記第２の側壁部は、それぞれの端部近傍に第１の連結部材が設けられると共に、中央部には第２の連結部材が設けられ、
前記折畳み状態では、前記第１及び第２の側壁部のそれぞれの前記第１の連結部材同士が連結されると共に、前記第１及び第２の側壁部の前記各第２の連結部材同士が接続部材を介して連結されることを特徴とする請求項１乃至請求項６のいずれかに記載の多機能キャリーバッグ。
【発明の詳細な説明】
【技術分野】
【０００１】
本発明は、多機能キャリーバッグに関する。
【背景技術】
【０００２】
従来より、クーファンと呼称されるベビーキャリーが広く知られている。
【０００３】
例えば、特許文献１では、図８に示すように、キルテイングを施した布を使用して１枚に形成したマットの四隅を、縫い目に沿って箱型に折り曲げ、箱の内側に沿って、漏斗型の各折畳部１０１ａ〜１０１ｄを形成し、該漏斗型の各四隅を線ファスナー１０２にて止着し、箱型に形成することにより、マットの側面１０３ａ〜１０３ｄが組み合わさった立体構造のキャリーボックス１０３を構成し、該構成したボックス１０３の内部に、一体に形成されたインナーシート、アンダーシート、及び、インナーシート床板部等を組込み固定したベビーキャリーバスケットの構造が提案されている。
【０００４】
特許文献１では、移動時にはキャリーバンド１０４ａ、１０４ｂを持ってベビーキャリーを持ち運び、屋外で乳幼児を寝かせるときやおむつの交換等のときにはチャック７を開放してキャリーボックス１０３の側面１０３ａ〜１０３ｂを水平方向に倒し、マット状にして作業できるよう構成されている。
【０００５】
また、この特許文献１では、ベビーキャリーの他、乳幼児の成長後はピクニックキャリーボックス、収納ボックス等にも使用可能なベビーキャリーバスケットを実現しようとしている。
【先行技術文献】
【特許文献】
【０００６】
【特許文献１】特開２００２−１５９３１９号公報（請求項１、図１〜図３等）
【発明の概要】
【発明が解決しようとする課題】
【０００７】
しかしながら、特許文献１では、乳幼児を寝かせるだけのスペースを常に確保する必要があることから、サイズを小さくすることができず、バスケットの大型化を回避することができないという問題があった。
【０００８】
また、特許文献１では、乳幼児成長後にピクニックキャリーボックスや収納ボックス等に使用することが可能であるものの、大きなボックススペースを有することから、設置スペースを確保する必要があり、また、持ち運びに不便である。すなわち、特許文献１では、設置スペースや持ち運びの不便さ等から、乳幼児成長後の早い時期に処分せざるを得ない状況に陥り易く、省資源化の要請にも反するおそれがある。
【０００９】
また、特許文献１では、携行必需品等の小物を別途、バッグに収容して持ち歩かなければならず、荷物品数が多くなるという問題もあった。
【００１０】
本発明はこのような事情に鑑みなされたものであって、ベビーキャリーとしての機能を有すると同時に、携行必需品等をコンパクトに効率よく収容できる軽くて薄い持ち運びに便利な多機能キャリーバッグを提供することを目的とする。
【課題を解決するための手段】
【００１１】
上記目的を達成するために本発明に係る多機能キャリーバッグは、シート状の底面部と、互いに対向状に配された第１及び第２の側壁部と、該第１及び第２の側壁部のそれぞれの直交方向に互いに対向状に配された第３及び第４の側壁部とを有し、前記底面部及び前記第１〜第４の側壁部は布製素材で形成されると共に、前記底面部及び前記第１〜第４の側壁部で空間領域が形成可能とされ、前記第１及び第２の側壁部のそれぞれには、開閉自在な複数の収容ポケットが設けられ、前記第１の側壁部の外表面及び内表面のうちの少なくとも一方には第１の係合手段が設けられと共に、前記第２の側壁部には前記第１の係合手段と係着可能に第２の係合手段が設けられ、前記底面部及び前記第１〜第４の側壁部は、折畳み可能に構成されると共に、折畳み状態では、前記複数の収容ポケットがいずれも外表面に位置するように配され、前記第１の係合手段と前記第２の係合手段とが係着されることを特徴としている。
【００１２】
また、本発明の多機能キャリーバッグは、前記底面部は、内表面が防水性を有していることを特徴としている。
【００１３】
さらに、本発明の多機能キャリーバッグは、前記底面部及び前記第１〜第４の側壁部は、外表面が撥水性を有していることを特徴としている。
【００１４】
また、本発明の多機能キャリーバッグは、前記第１及び第２の側壁部と、前記第３及び第４の側壁部のうちの少なくとも一方の側壁部との間には、開閉自在な係着部材が介在されていることを特徴としている。
【００１５】
さらに、本発明の多機能キャリーバッグは、前記複数の収容ポケットのうちの少なくとも一つの収容ポケットは、内部に補助ポケットを有し、該収容ポケット及び前記補助ポケットのそれぞれの内表面には、保温断熱材が貼着されていることを特徴としている。
【００１６】
また、本発明の多機能キャリーバッグは、前記複数の収容ポケットのうちの少なくとも一つの収容ポケットは、一端が開放状とされた外ポケットが外表面に設けられていることを特徴としている。
【００１７】
さらに、本発明の多機能キャリーバッグは、前記第１及び前記第２の側壁部は、それぞれの端部近傍に第１の連結部材が設けられると共に、中央部には第２の連結部材が設けられ、前記折畳み状態では、前記第１及び第２の側壁部のそれぞれの前記第１の連結部材同士が連結されると共に、前記第１及び第２の側壁部の前記各第２の連結部材同士が接続部材を介して連結されていることを特徴としている。
【発明の効果】
【００１８】
本発明の多機能キャリーバッグによれば、空間領域を使用して乳幼児を寝かせたり世話をすることができ、かつ第１及び第２の側壁部に形成された複数の収容ポケットに各種携行必需品や乳幼児用おもちゃ、おむつ等を必要に応じて収容することができる。そして、折り畳み時には、複数の収容ポケットがいずれも外表面に位置するように配されることから、キャリーバッグの持ち運び時にも必要な小物を容易に出し入れすることができる。さらに、第１の側壁部と第２の側壁部とは第１及び第２の係合手段を介して係着されることから、容易かつ確固に折り畳むことができ、軽くて薄い多機能キャリーバッグを実現することができる。
【００１９】
しかも、乳幼児の成長後は、折り畳んだ状態で使用することにより、廃棄処分とすることなくバッグとして有効活用することが可能となり、省資源化にも寄与することができ、付加価値の高い多機能キャリーバッグを得ることができる。
【００２０】
また、底面部は、内表面が防水性を有しているので、底面部に水がこぼれたり、水性物質で汚れても、底面部の内表面から内部に水分が浸透するのを防止することができる。
【００２１】
さらに、底面部及び第１〜第４の側壁部は、外表面が撥水性を有しているので、雨が降っても水を弾くことから水濡れ等を防止することができる。
【００２２】
また、第１及び第２の側壁部と、第３及び第４の側壁部のうちの少なくとも一方の側壁部との間に形成される両隅部には、開閉自在な係着部材が設けられているので、着部材を開放することにより、広い空間領域を利用しておむつ交換等、乳幼児の世話をすることができ、使い勝手が向上する。
【００２３】
さらに、前記複数の収容ポケットのうちの少なくとも一つの収容ポケットは、内部に補助ポケットを有し、該収容ポケット及び前記補助ポケットのそれぞれの内表面には、保温断熱材が貼着されているので、例えば、温度差のある携行品を一つの収容ポケットに収容することができ、更なる付加価値の向上を図ることができる。
【００２４】
また、複数の収容ポケットのうちの少なくとも一つの収容ポケットは、一端が開放状とされた外ポケットが外表面に設けられているので、この外ポケットにも携行必需品を収容することができる。
【００２５】
さらに、折畳み状態では、第１の連結部材同士が連結され、かつ第２の連結部材同士を接続部材を介して連結されるので、折り畳み状態を維持しつつ接続部材を肩に掛ける等することにより、容易に持ち運ぶことができる。
【図面の簡単な説明】
【００２６】
【図１】本発明に係る多機能キャリーバッグの一実施の形態を示す斜視図である。
【図２】図１のＡ−Ａ矢視断面図である。
【図３】線ファスナー（係着部材）を開状態とした場合の多機能キャリーバッグの斜視図である。
【図４】図１のＢ−Ｂ矢視図である。
【図５】収容ポケットの内部構造の一例を示す正面図である。
【図６】多機能キャリーバッグを折り畳む際の中間形態を示す平面図である。
【図７】多機能キャリーバッグを折り畳んだ際の最終形態を示す平面図である。
【図８】特許文献１の要部斜視図である。
【発明を実施するための形態】
【００２７】
次に、本発明の実施の形態を図面に基づき詳説する。
【００２８】
図１は、本発明に係る多機能キャリーバッグの一実施の形態を示す斜視図である。
【００２９】
この多機能キャリーバッグは、シート状に形成された底面部１と、互いに対向状に配された第１及び第２の側壁部２、３と、該第１及び第２の側壁部２、３のそれぞれの直交方向に互いに対向状に配された第３及び第４の側壁部４、５とを有し、これら底面部及び第１〜第４の側壁部２〜５で箱状に一体化された空間領域５０を形成している。
【００３０】
これら底面部１及び第１〜第４の側壁部２〜５は、ポリエステル等の布製素材を基布として形成されている。
【００３１】
具体的には、底面部１、第１及び第２の側壁部２、３は、ポリウレタン等の弾力性を有するクッション材が内有され、該クッション材が布製素材で被覆されている。
【００３２】
また、第３の側壁部４は、図２に示すように、側壁本体６と、該側壁本体６を保護するカバー７とを有している。そして、側壁本体６は、クッション材が内有されると共に、該クッション材が布製素材で被覆され、かつ一端が底面部１に製縫され、さらに内面の両端近傍下部には一対の面ファスナー８が貼設されている。
【００３３】
また、カバー７は、側壁本体６を被覆するような形態で布製素材で前記側壁本体６に装脱自在に形成されると共に、一端が底面部１に製縫され、かつ内面の両端近傍には面ファスナー９が貼設されている。そして、カバー７を側壁本体６に装着する場合は、この図２に示すように、カバー７が側壁本体６を挟持するように逆凹字状に変形され、面ファスナー８と面ファスナー９とが係合され、これによりカバー７が側壁本体６に固着される。
【００３４】
さらに、第１及び第２の側壁部２、３と第３の側壁部４との間に形成される両隅部には、開閉自在な線ファスナー１０、１１（係着部材）がそれぞれ設けられている。そして、本多機能キャリーバッグでは、各線ファスナー１０、１１が閉状態のときは、上記図１に示すように、第３の側壁部３が底面部１の端部に立設され、これにより上述した箱状の空間領域５０が形成される。
【００３５】
また、図示は省略するが、第４の側壁部５も第３の側壁部４と同様の構成を有している。ただし、本実施の形態では、両隅部には線ファスナーは設けられておらす、第４の側壁部５と第１及び第２の側壁部２、３とは製縫により一体的に形成されている。
【００３６】
さらに、第１の側壁部２の外表面には、２つの収容ポケット１２、１３が対称状に設けられている。この収容ポケット１２、１３は、それぞれ線ファスナー１４、１５により開閉自在とされ、また、収容ポケット１２、１３の外表面には一端開放状の外ポケット１６、１７が形成されている。
【００３７】
また、第１の側壁部２の下方の両端近傍には雄型又は雌型の第１の連結部材１８、１９が配設され、中央部には第２の連結部材２０が配設されている。
【００３８】
そして、第２の側壁部３も、第１の側壁部２と略同様、その外表面に収容ポケットが設けられている。
【００３９】
図３は、図１のＢ−Ｂ矢視図である。
【００４０】
本実施の形態では、第２の側壁部３の外表面には、３つの収容ポケット２１〜２３が設けられている。この収容ポケット２１〜２３は、それぞれ線ファスナー２４〜２６により開閉自在とされ、また、これら収容ポケット２１〜２３のうち、収容ポケット２１の外表面には一端開放状の外ポケット２７が形成されている。
【００４１】
そして、第２の側壁部３の下方の両端近傍には雄型又は雌型の第１の連結部材２８、２９が配設され、中央部には第２の連結部材３０が配設されている。
【００４２】
また、図１に示すように、第１の側壁部２の外表面上部の両端近傍及び中央部にそれぞれ面ファスナー３１ａ〜３１ｃが貼設され、これらの面ファスナー３１ａ〜３１ｃで第１の係合手段３１を形成している。また、第２の側壁部３の内表面上部の両端近傍及び中央部にそれぞれ面ファスナー３４ａ〜３４ｃが貼設され、これらの面ファスナー３４ａ〜３４ｃで第２の係合手段３４を形成している。
【００４３】
さらに、第１及び第２の側壁部２、３の内表面にはキャリーバンド３７、３８の一部が貼設されている。
【００４４】
また、本実施の形態では、底面部１の内表面には防水加工が施されており、水等が内部に浸透しないように防水性を有している。さらに、底面部１及び第１〜第４の側壁部２〜５の外表面には撥水加工が施されており、外部からの雨水等を弾くことにより、雨水等の浸入を防止している。
【００４５】
そして、本多機能キャリーバッグをベビーキャリーとして使用したい場合は、キャリーバンド３７、３８を把持して移動することができると共に、空間領域５０に乳幼児を寝かせ、乳幼児の世話（おむつ交換等）をすることができる。また、図４に示すように、線ファスナー１０、１１を開状態とし、面ファスナー９を面ファスナー８から離脱させてカバー７を矢印Ｃ方向に倒し、第３の側壁部４を水平方向に広げることができ、これにより作業領域を広げることができ、使い勝手の向上を図ることができる。また、第４の側壁部５も第３の側壁部４と同様の形態を有していることから、この図４のように、面ファスナーを面ファスナーとを離脱させて使用することができる。
【００４６】
また、本多機能キャリーバッグは、以下のようにして折り畳むことができる。
【００４７】
すなわち、図１のように箱状の空間領域５０を形成した後、キャリーバンド３７、３８を空間領域５０の内部に収める。そして、第２の側壁部３の上端部が第１の側壁部２の上端部の上側に位置するように第１及び第２の側壁部２、３を重ね合わせ、これにより図５に示すように、面ファスナー３１ａ〜３１ｃと対面の面ファスナー３４ａ〜３４ｃとを接合し係着させる。次いで、これを収容ポケット１２、１３、２１〜２３が外表面に位置するように、矢印Ｄ方向に二つ折りに折曲し、図６に示すように、第１の連結部材１８と第１の連結部材２０、及び第１の連結部材２８と第１の連結部材３０とを連結し、さらに第２の連結部材１９と第２の連結部材２９とを平形帯状の接続部材３９を介して接続し、これにより折り畳むことができ、これにより接続部材３９を肩等で支持して本多機能キャリーバッグを持ち運ぶことができる。
【００４８】
このように本多機能キャリーバッグは、箱状の空間領域５０を使用して乳幼児を寝かせたり、世話をすることができ、かつ複数の収容ポケット１２、１３、２１〜２３に各種携行必需品や乳幼児用おもちゃ、おむつ等を必要に応じて収容することができる。そして、折り畳み時には、複数の収容ポケット１２、１３、２１〜２３がいずれも外表面に位置するように配されることから、キャリーバッグの持ち運び時にも必要な小物を容易に出し入れすることができる。さらに、第１の側壁部２と第２の側壁部３とは第１及び第２の係合手段３１、３４（ファスナー３１ａ〜３１ｃ、３４ａ〜３４ｃ）を介して係着されることから、軽くて薄い多機能キャリーバッグを実現することができる。
【００４９】
しかも、乳幼児の成長後は、折り畳んだ状態で使用することにより、廃棄処分とすることなくバッグとして有効活用が可能であり、省資源化にも寄与することができ、付加価値の高い多機能キャリーバッグを得ることができる。
【００５０】
また、底面部１は、内表面が防水性を有しているので、底面部１に水がこぼれたり、水性物質で汚れても、底面部の表面から内部に水分が浸透するのを防止することができる。
【００５１】
さらに、底面部１及び第１〜第４の側壁部２〜５は、外表面が撥水性を有しているので、雨が降っても水を弾くことから水濡れを防止することができる。
【００５２】
また、第１及び第２の側壁部２、３と、第３の側壁部４との間に形成される両隅部には、開閉自在な線ファスナー１０、１１が設けられていることので、箱状の空間部５０を使用して乳幼児の世話をするときは、線ファスナー１０、１１を開放することにより、作業領域を広げることができ、使い勝手が向上する。
【００５３】
また、収容ポケットのうちの少なくとも一つの収容ポケットは、一端が開放状とされた外ポケット１６、１７、２７が外表面に設けられているので、この外ポケットにも携行必需品を収容することができる。
【００５４】
さらに、折畳み状態では、第１及び第２の側壁部２、３のそれぞれの端部近傍に付設された第１の連結部材１８、１９、２８、２９同士が連結されることから、より堅固に折り畳むことができ、かつ第１の側壁部２の前記中央部に付設された第２の連結部材２０と第２の側壁部３の中央部に付設された第２の連結部材３０とを平形帯状の接続部材を介して連結することにより、前記接続部材３９を肩に掛ける等して容易に持ち運ぶことができる。
【００５５】
尚、本発明は上記実施の形態に限定されることはなく、要旨を逸脱しない範囲で種々の変形が可能である。
【００５６】
例えば、上記実施の形態では、第１及び第２の側壁部２、３の外表面に収容ポケットを設けているが、これら収容ポケットのうちの少なくとも一つの収容ポケット、例えば第１の収容ポケット１４が、補助ポケットを有するのも好ましい、
【００５７】
すなわち、図７は、第１の収容ポケット１４の内部に補助ポケットを有する場合の内部構造図である。
【００５８】
第１の収容ポケット１４は、内部に補助ポケット４０が設けられると共に、第１の収容ポケット１４及び補助ポケット４０のそれぞれの内表面にはアルミ箔等の保温断熱材４１、４２が貼設されている。
【００５９】
このように第１の収容ポケット１４に補助ポケット４０を設け、第１の収容ポケット１４及び補助ポケット４０のそれぞれの内表面には保温断熱材４１、４２が貼設することにより、一つの収容ポケット内に温度差の有る携行品を本来の機能を損なうことなく効率良く収納することが可能となる。
【００６０】
また、上記実施の形態では収納ポケットの個数が５つであるが、該収納ポケットの個数についても限定されるものではない。また、上記実施の形態では、隅部も線ファスナー１０、１１で開閉自在としているが、点ファスナーを使用して開閉自在としてもよい。
【００６１】
さらに、上記実施の形態では、第１の側壁部２の外表面に面ファスナー３１を設け、第２の側壁部３の内表面に面ファスナー３４を設けているが、第１の側壁部２の内表面に面ファスナーを設け、第２の側壁部３の外表面に面ファスナー３４を設け、第２の側壁部３側の面ファスナーが第１の側壁部２側の面ファスナーの下側となるように重ね合わせ、面ファスナー同士を係着させてもよい。
【産業上の利用可能性】
【００６２】
携行必需品をコンパクトに収容でき、様々な用途に使用可能でベビーキャリーにも兼用できる多機能キャリーバッグを実現する。
【符号の説明】
【００６３】
１  底面部
２  第１の側壁部
３  第２の側壁部
４  第３の側壁部
５  第４の側壁部
１０、１１  係着部材
１２、１３、２１〜２３  収容ポケット
１６、１７、２７  外ポケット
１８、１９、２８、２９  第１の連結部材
２０、３０  第２の連結部材
３１  第１の係合手段（面ファスナー）
３４  第２の係合手段（面ファスナー）
５０  空間部
【図１】
2017136197.tif 000003
【図２】
2017136197.tif 000004
【図３】
2017136197.tif 000005
【図４】
2017136197.tif 000006
【図５】
2017136197.tif 000007
【図６】
2017136197.tif 000008
【図７】
2017136197.tif 000009
【図８】
2017136197.tif 000010